(57)【要約】  使用が簡便であり携帯しやすいナプキンホルダーが開示される。ナプキンホルダーは、首バンド部を備えており、首バンド部の両端部には、ナプキン、ビブ、タオルなどの手段が通過できるような固定ホールが形成される。固定ホールは、ナプキン、ビブ、タオルなどの一部が通過して固定されるように、多様なサイズまたは形状で形成される。首バンド部は、シリコンなどのゴムや軟質ＰＶＣなどのプラスチック材質など弾力性ある素材で形成され、半永久的な使用が可能である。
2008535616.tif 000002
【特許請求の範囲】
【請求項１】
人体の首に掛けることができるように前記首周りに沿って形成される首バンド部を含んでおり、
前記首バンド部の両端部には、衣服の保護手段を固定させる固定ホールが提供されることを特徴とする首バンド部を備えるナプキンホルダー。
【請求項２】
前記首バンド部は、弾力性がある高分子物質やプラスチックを用いて形成されることを特徴とする請求項１に記載のナプキンホルダー。
【請求項３】
前記固定ホールは、中心から放射線状に延長する少なくとも１本以上のスリットによって形成されることを特徴とする請求項１に記載のナプキンホルダー。
【請求項４】
前記スリットは、波またはジグザグの形状で形成されることを特徴とする請求項３に記載のナプキンホルダー。
【請求項５】
前記固定ホールは、円、楕円または多角形の形状で提供されることを特徴とする請求項１に記載のナプキンホルダー。
【請求項６】
前記固定ホールは、Ｖ字形のスリットによって形成されることを特徴とする請求項１に記載のナプキンホルダー。
【請求項７】
前記固定ホールは、少なくとも２つ以上のＶ字形のスリットを連結してＷ字形または歯形で形成されることを特徴とする請求項６に記載のナプキンホルダー。
【請求項８】
前記固定ホールは、直線形によって形成されることを特徴とする請求項１に記載のナプキンホルダー。
【請求項９】
前記首バンド部の長さを調節する長さ調節部が提供されることを特徴とする請求項１に記載のナプキンホルダー。
【請求項１０】
前記固定ホールが提供される両端部の幅は、前記首バンド部よりも広いことを特徴とする請求項１に記載のナプキンホルダー。
【請求項１１】
弾力性がある高分子物質やプラスチックを用いて形成されており、一端部に形成された第１固定ホールおよび前記第１固定ホールに対向して他端部に形成された第１連結環部を含む第１首バンド部と、
弾力性がある高分子物質やプラスチックを用いて形成されており、一端部に形成される第２固定ホールおよび前記第２固定ホールに対向して他端部に形成された第２連結環部を含む第２首バンド部と、
を含み、
前記第１首バンド部の一部は第２連結環部に収容され、前記第２首バンド部の一部は第１連結環部に収容されることを特徴とするナプキンホルダー。
【請求項１２】
前記第１または第２固定ホールは、中心から放射線状に延長する少なくとも１本以上のスリットによって形成されることを特徴とする請求項１１に記載のナプキンホルダー。
【請求項１３】
前記スリットは、波またはジグザグの形状で形成されることを特徴とする請求項１２に記載のナプキンホルダー。
【請求項１４】
前記第１または第２固定ホールは、円、楕円または多角形の形状で提供されることを特徴とする請求項１１に記載のナプキンホルダー。
【請求項１５】
前記第１または第２固定ホールは、それぞれＶ字形のスリットによって形成されることを特徴とする請求項１１に記載のナプキンホルダー。
【請求項１６】
前記第１または第２固定ホールは、それぞれ少なくとも２つ以上のＶ字形のスリットを連結してＷ字形または歯形で形成されることを特徴とする請求項１５に記載のナプキンホルダー。
【請求項１７】
前記第１または第２固定ホールは、直線形で形成されることを特徴とする請求項１１に記載のナプキンホルダー。
【請求項１８】
前記第１首バンド部は、前記第１連結環部と前記第１固定ホールとの間の一面に形成された第１凹凸部を含んでおり、
前記第２木バンド部は、前記第２連結環部と前記第２固定ホールとの間の一面に前記第１凹凸部と対向する第２凹凸部を含むことを特徴とする請求項１１に記載のナプキンホルダー。
【請求項１９】
前記第１および第２凹凸部は、それぞれ前記第１および第２連結環部に隣接した位置に形成されることを特徴とする請求項１８に記載のナプキンホルダー。
【発明の詳細な説明】
【技術分野】
【０００１】
本発明はナプキンホルダーに関し、より詳細には、ナプキン、ビブ（ｂｉｂ）、タオルなどを容易に固定することで衣服の汚れを防ぐナプキンホルダーに関する。
【背景技術】
【０００２】
人々は、食事中にエプロンやナプキンを用いることで、清潔を維持しようとする習慣がある。しかし、エプロンは、首紐と腰紐で固定しなければならないため、着用が煩雑である。また、食事中に胸や膝を覆うことで服を汚さないようにするナプキンや、乳幼児がよだれを垂らすときに用いるよだれかけ、歯科での治療の際に異物が衣服に付かないように胸部分を覆うのに用いるビブ、タオルなども首の後ろで脱着するのが容易ではない。
【０００３】
したがって、ユーザが脱着しやすいように生成されたナプキンホルダーが開発された。
まず、ナプキンホルダーを開示しているアメリカ特許第５，８４２，２２８号（１９９８年１２月１日登録）を例示してみよう。ナプキンホルダーは、ユーザの首に掛けるように紙で生成されたネックバンドを備えており、ネックバンドの両端部には、ナプキンが付着するように接着液が塗布される。また、リリースタブが接着液上を覆うことによって、ネックバンドを使わないときに、接着液に異物が詰まって接着力が低下することを防ぐようになる。このとき、リリースタブは、スティッカーの離型紙のようにプラスチックでコーティングされ、接着液から簡単に剥がれるものが好ましい。接着液を用いた従来のナプキンホルダーは、ナプキンの重さや表面状態により、その使用範囲が制限されてしまう。例えば、ナプキンが重ければ、接着液から剥がれやすくなるため、一般的に軽い紙ナプキンを用いざるを得ない。また、ナプキンの表面状態が接着に不適合であったり汚れている場合には、ナプキンが接着液に接着し難くなってしまう。さらに、接着液を用いた従来のナプキンホルダーは、数回に渡る使用が困難であるし、ナプキンも紙製であるため、何度も使用することができない。
【０００４】
また、ビブホルダーを開示しているアメリカ特許第５，８５２，８４９号（１９９８年１２月２９日登録）を例示してみよう。ナプキンホルダーと同じような用途で用いられるビブを脱着するビブホルダーが示されている。乳幼児がよだれを垂らすときに用いるよだれかけや、歯科での治療の際に異物が衣服に付かないように胸部分を覆うのに用いられるビブを脱着することができるビブホルダーは、ユーザの首に掛けれるように生成された拡張ロッドを備えており、拡張ロッドの両端部には接合具が付いている。接合具は、チャック、クリップ、ボタン、スナップなどの多様なものが用いられる。しかし、前記接合具を用いた従来のビブホルダーは、拡張ロッドを提供した後に接合具を追加で接合しなければならない煩雑な製造過程が要される。これにより、生産単価の増加が伴うようになる。
【０００５】
さらに、ビブホルダーを開示しているアメリカ特許第５，４１４，９０３号（１９９５年５月１６日登録）を例示してみよう。ナプキンホルダーと同じような用途で用いられ、歯科での治療の際に異物が衣服に付かないように胸部分を覆うのに用いるデンタルビブを脱着するビブホルダーは、ユーザ首に掛けるように生成されたストラップ部を備えており、ストラップ部の中央部には、屈折可能なフランジブル部が提供される。また、ストラップ部の一端には、デンタルビブを固定するためのＵ字型クリップが提供される。ユーザがＵ字型クリップを押せば、Ｕ字型クリップの一端は、他端に形成された爪状のフック部によってデンタルビブとともに固定されるようになる。Ｕ字型クリップのフック部によって固定されたデンタルビブを外すことは容易ではない。したがって、ストラップ部の中央に形成されたフランジブル部を折り曲げて、ユーザの首からビブホルダーを外すことになる。  これにより、前記Ｕ字型クリップを用いた従来のビブホルダーを生産するためには、
ストラップ部の中央部にフランジブル部を提供する過程や、Ｕ字型クリップを提供する過程などが必要となる。また、フランジブル部を折り曲げてビブホルダーを外さなければならないことから、従来のビブホルダーは経済的でないと言える。
【発明の開示】
【発明が解決しようとする課題】
【０００６】
上述した本発明の問題点を解決するために、本発明は、ユーザが自分一人で簡単に脱着できるナプキンホルダーを提供することを目的とする。
【０００７】
また、本発明は、半永久的な使用が可能である経済的なナプキンホルダーを提供することを他の目的とする。
【０００８】
また、本発明は、ユーザがより簡便に長さを調節できるナプキンホルダーを提供することをさらに他の目的とする。
【課題を解決するための手段】
【０００９】
上述した本発明の目的を達成するために、本発明の好ましい実施形態によれば、ナプキンホルダーは、固定ホールが提供される首バンド部を備える。首バンド部は、人体の首周りに対応して形成されており、両端部には、ナプキン、ビブ、タオルなどの衣服を保護できる手段が通過して固定されるように形成された固定ホールが提供される。
【００１０】
首バンド部の両端部に形成される固定ホールは、ナプキン、ビブ、タオルなどの手段を通過して固定させる必要があるため、弾力性がある素材で生成される。また、固定ホールの形状は、ナプキン、ビブ、タオルなどが固定ホールから外れないようにする範囲内で、多様な形状で提供される。例えば、固定ホールは、円形、楕円形、多角形で形成されても良いし、十字形や星形のように中心から放射線状に伸びる形状で形成されても良い。特に、十字形や星形で形成されるときに、中央の一点から四方にスポークのように伸びた形状を意味する放射線状に拡張したスリットは、波状またはジグザグ状などで提供される。また、１つまたは複数のＶ字形のスリットが提供されて固定ホールを提供しても良い。
【００１１】
ユーザが指先でナプキンの一部を固定ホールに押し込めば、挿入した部分が固定ホールによって固定されるようになる。このとき、ユーザは、片手でナプキンを固定ホールに押し込むことができるため、簡便に固定させることができる。
【００１２】
また、シリコンなどのゴムや軟質ＰＶＣなどのプラスチックで形成されるため、他の材質に比べて比較的に軽量である上に、半永久的な使用が可能であるため経済的である。
【００１３】
固定ホールはスリット状で提供され得るが、スリットの形状は、１つの棒状のスリットに限らず、決められた中心から放射線状に伸びる波状またはジグザグ状のスリットで提供されても良い。このとき、弾性力を有するナプキンホルダーの材質によって、スリット状で提供された固定ホールの周辺が反り返りながら、ナプキン、ビブ、タオルなどが指とともに固定ホールを通過する。指を固定ホールから抜けば、弾性を有するナプキンホルダーのスリット状で提供された固定ホールの周辺が元位置に復帰し、保護手段をしっかりと固定するようになる。したがって、この場合は、ナプキン、ビブ、タオルなどの弾性力と固定ホールとの摩擦力によって固定されるようになる。
【００１４】
また、複数のＶ字形のスリット提供してＷ字形または歯形で固定ホールが提供される場合は、上述した放射線状のスリットとともに固定ホールの周辺が反り返りながら、ナプキン、ビブ、タオルなどが指とともに固定ホールを通過し、指を固定ホールから抜けば、弾性を有する固定ホールの周辺が元位置に復帰し、保護手段をしっかり固定するようになる
。
【発明を実施するための最良の形態】
【００１５】
第１実施形態
図１は、本発明の第１実施形態に係るナプキンホルダーを説明するための斜視図である。
【００１６】
図１を参照すれば、ナプキンホルダー２００は、両端部にスリット状の固定ホール２６０が形成されている首バンド部２３０を備える。首バンド部２３０は、両端部が首の後ろから前方の胸まで達する長さを有する。また、前方の胸または顎の下に位置するようになる首バンド部２３０の両端部には、ナプキン、ビブ、タオルなどが固定される固定ホール２６０が提供される。ユーザは、ナプキンなどの手段の一部を固定ホール２６０に挿入させるようになり、固定ホール２６０に挿入した手段の一部を保持することによって、首バンド部２３０にナプキン、ビブ、タオルなどの手段を固定させるようになる。
【００１７】
首バンド部２３０は、経済的な側面と重量とを考慮した上で、半永久的な使用が可能なだけでなく、重さも他の材質に比べて比較的に軽量である軟質のＰＶＣなどのプラスチックやシリコンなどの合成高分子物質で形成されても良いし、天然高分子物質で形成されても良い。軟質のＰＶＣ、シリコンのようなゴム合成高分子物質、天然高分子物質は、生産業者側にとっても有利であるし、ナプキンホルダーを購入する消費者側の負担も減らすことができる。なぜならば、これらの材質は、すでに様々な分野で多様に用いられているし、大量生産に極めて有利であるためである。
【００１８】
図１を参照すれば、首バンド部２３０の両端部に形成される固定ホール２６０は、ナプキン、ビブ、タオルなどを通過して固定させるようになる。したがって、ユーザは、指先でナプキン、ビブ、タオルなどの一部分を固定ホール２６０に押し込み、再び指を抜くという簡単な動作によって、ナプキンなどの一部を簡単に固定させるようになる。
【００１９】
また、固定ホール２６０の弾性を用いてナプキン、ビブ、タオルなどを固定させるため、紙よりも重いタオルや織物ナプキンなどの固定が容易であるし、タオルなどの表面が粗かったり汚れていたとしても、表面状態とは関係なくタオルや織物ナプキンを固定させることができる。
【００２０】
また、図１を参照すれば、スリット状の固定ホール２６０は、首バンド部２３０の両端部に形成されている。本実施形態に係る首バンド部２３０の両端部には、６本のスリットが各中心部を交差するように提供されて１つの固定ホール２６０を形成しているが、本発明の他の実施形態によれば、固定ホールを形成するためのスリットの本数および形状は、多様に選択することができる。
【００２１】
もちろん、提供されるスリットの本数と位置は、ナプキンホルダーの材質および用いられるナプキンの種類を考慮して選択することができる。より多いスリットが提供されて１つの固定ホールを形成する場合には、ナプキンホルダーの材質が柔らかいほど、ナプキン、ビブ、タオルなどとともにユーザの指を固定ホールに容易に通過させることができる。しかし、材質が柔らかいため、ナプキン、ビブ、タオルなどを固定する固定力は劣るようになる。
【００２２】
図２および図３は、図１の固定ホールにナプキン、ビブ、タオルなどを固定させる過程を説明するための斜視図である。
【００２３】
図２を参照すれば、ナプキン、ビブ、タオルなどの手段２１０の一部を指で固定ホール
２６０に挿入する。固定ホール２６０は、中心から放射線状に延長する６本のスリットによって提供される。このとき、スリットによって固定ホール２６０の周辺に形成された固定片２４０が反り返りながら、ナプキン２１０の一部が指とともに固定ホール２６０を通過する。指を固定ホール２６０から抜けば、弾性を有する固定片２４０が再び元位置に戻るため、ナプキン２１０が固定されるようになる。この場合、ナプキン２１０は、固定片２４０による摩擦力および復元力によって固定されるようになる。
【００２４】
図３を参照すれば、指を固定ホール２６０から抜いた後に、固定ホール２６０によってナプキン２１０が首バンド部２３０に固定されている。図３において、ユーザは、固定ホール２６０の外側から内側に向かって指でナプキン２１０を挿入しているが、これとは異なり、固定ホール２６０の内側から外側に向かってナプキンを挿入することもできる。
【００２５】
第２実施形態
図４は、本発明の第２実施形態に係るナプキンホルダーを説明するための斜視図である。
【００２６】
図４を参照すれば、第２実施形態に係るナプキンホルダー３００は、首バンド部３３０を含んでおり、首バンド部３３０の両端部には、円形の固定ホール３６０が提供される。固定ホール３６０を提供する目的は、ナプキン、ビブ、タオルなどのような手段を固定するためのものであり、ナプキンなどの一部が円形の固定ホール３６０に挿入されて固定されるようになる。
【００２７】
ユーザが指でナプキンなどの一部を固定ホール３６０に挿入すれば、伸縮性を有する固定ホール３６０が部分的に変形しながら、ナプキンの一部が指とともに通過する。指を固定ホール３６０から抜けば、固定ホール３６０は再び元の形状に復元するようになり、固定ホール３６０に残っているナプキンを固定するようになる。また、ナプキンも紙または織物を材質として用いるため、多少の復元力および摩擦力を有しており、固定ホール３６０と相互作用して首バンド部３３０に固定されるようになる。
【００２８】
円状の固定ホール３６０が提供されるときは、ユーザがナプキン、ビブ、タオルなどの手段の一部を簡便に指で固定ホール３６０に押し込むことができるように、固定ホール３６０のサイズが決められなければならない。また、固定ホールは、円形の他にも、楕円形または多角形で形成されても良い。
【００２９】
第３実施形態
図５は、本発明の第３実施形態に係るナプキンホルダーを説明するための斜視図である。
【００３０】
図５を参照すれば、第３実施形態に係るナプキンホルダー４００も首バンド部４３０を含んでおり、首バンド部４３０の両端部には、固定ホール４６０がＷ字形または歯形で提供される。固定ホールは、Ｖ字形のスリットによって形成されても良いが、図５に示されたように、複数のＶ字形のスリットを連結してＷ字形または歯形の固定ホール４６０で形成されても良い。
【００３１】
指を用いることで、ナプキン、ビブ、タオルなどの手段の一部を固定ホール４６０に挿入することが可能となる。固定ホール４６０は、ジグザグ状で形成されたスリットによって、Ｗ字形または歯形で形成されるようになる。このとき、固定ホール４６０によって固定ホール４６０の周辺に形成された固定片４４０が反り返りながら、ナプキンの一部が指とともに固定ホール４６０を通過するようになる。指を固定ホール４６０から抜けば、弾性を有する固定片が再び元位置に戻るため、ナプキンが固定されるようになる。
【００３２】
第４実施形態
図６は、本発明の第４実施形態に係るナプキンホルダーを説明するための部分拡大斜視図である。
【００３３】
図６を参照すれば、本実施形態に係るナプキンホルダー５００は、首周りに対応する首バンド部５３０を含んでおり、首バンド部５３０の両端部には、固定ホール５６０が単純な直線形で提供される。ナプキン、ビブ、タオルなどのような手段の一部を指で固定ホール５６０に挿入するようになるが、このとき、固定ホール５６０によって固定ホール５６０の周辺が広がりながら、ナプキンの一部が指とともに固定ホール５６０を通過するようになる。指を固定ホール５６０から抜くけば、弾性を有する固定片が再び元位置に戻るため、ナプキンが固定されるようになる。
【００３４】
本実施形態においては、固定ホール５６０が単純な直線形を有するスリットによって提供されるが、本発明の他の実施形態によれば、第３実施形態のように、ジグザグ形、波形など多様な形状で提供されても良い。
【００３５】
第５実施形態
図７は、本発明の第５実施形態に係るナプキンホルダーを説明するための部分拡大斜視図である。
【００３６】
図７を参照すれば、本実施形態に係るナプキンホルダー６００は、首バンド部６３０を含んでおり、前記の実施形態と同じように、首バンド部６３０の両端部には、ナプキンなどを固定する固定ホール６６０が提供される。前記の実施形態とは異なり、首バンド部６３０の両端部は、両端部を連結する残りの部分よりも広い幅を有している。固定ホール６６０を形成するために、両端部の幅を既存のバンド部の幅と同一にするが、その連結部位の幅を狭くすることにより、ナプキンホルダー６００の重さを軽減することができる。しかし、首バンド部６３０が首周りで捩れやすくなる恐れがある。
【００３７】
また、スリット状の固定ホール６６０は、首バンド部６３０の両端部に形成されている。本実施形態に係る固定ホール６６０は、８本のスリットが放射線状に延長するように形成されたことを特徴とする。なお、固定ホールを形成するスリットの本数は、多様に選択および変更することができる。
【００３８】
第６実施形態
図８は、本発明の第６実施形態に係るナプキンホルダーを説明するための斜視図であり、図９は、図８の長さ調節部を説明するためのナプキンホルダーの部分拡大斜視図であり、図１０は、１つの首バンド部７３０を説明するための拡大斜視図である。
【００３９】
図８〜１０を参照すれば、２つの首バンド部７３０が互いに連結されて１つのナプキンホルダー７００を提供する。それぞれの首バンド部７３０は、一端部に形成された固定ホール７６０および他端部に形成された連結環部７５２を含んでおり、連結環部７５２に隣接した首バンド部７３０の一面には、凹凸部７５４が形成される。
【００４０】
参考までに、ナプキンホルダー７００の固定ホール７６０は、前記の実施形態において説明した固定ホールを参照することができ、設計者の意図によって多様に選択することができる。したがって、本実施形態において、固定ホール７６０についての説明は、前記の実施形態における説明および図面を参照することができるため、重複する内容は省略する。
【００４１】
図９および図１０を参照すれば、２つの首バンド部７３０を互いに対向させて連結する。より具体的には、各首バンド部７３０が隣り合う他の首バンド部の連結環部７５２を通過することで互いに結束し、凹凸部７５４が互いに対向しながら噛み合うため、ナプキンホルダー７００の長さが固定されるようになる。ユーザは、ナプキンホルダー７００の長さを変更するために、両首バンド部７３０の凹凸部７５４を互いに分離させた後、両連結環部７５２の間隔を調節するようになる。
【００４２】
すなわち、ナプキンホルダー７００は、長さを調節するための長さ調節部７５０を含むようになり、長さ調節部７５０は、凹凸部７５４および交差ホール７５６を含む連結環部７５２を含むようになる。本実施形態では、連結環部７５２が首バンド部７３０を通過させるための閉鎖された（ｃｌｏｓｅｄ）交差ホール７５６を含んでいるが、連結環部に形成されたホールは、部分的に開放されて（ｏｐｅｎ）Ｃ字形のように形成されても良い。
【００４３】
凹凸部７５４は、連結環部７５２に隣接するように提供されており、首バンド部７３０に沿って連続的に提供される複数の突出部と陥没部とを含む。凹凸部７５４の突出部および陥没部は、四角形、三角形、または円形のような多様な形状の断面を有することができる。
【００４４】
第７実施形態
図１１は、本発明の第７実施形態に係るナプキンホルダーを説明するための斜視図である。
【００４５】
図１１を参照すれば、２つの首バンド部８３０が互いに連結されて１つのナプキンホルダー８００を提供する。それぞれの首バンド部８３０は、一端部に形成された固定ホール８６０および他端部に形成された連結環部８５２を含む。したがって、本実施形態は、前記した第６実施形態と構成要素および機能が同じである。しかし、前記第６実施形態にて首バンド部７３０に提供された凹凸部７５４が省略され、シリコン（ｓｉｌｉｃｏｎｅ）などの材質自体の摩擦力により、連結環部８５２を交差する２つの首バンド部８３０は、一定の力以上に耐えることができる。したがって、本実施形態では、第６実施形態にて首バンド部７３０に形成された凹凸部７５４を省略しても、ナプキンホルダー８００の長さを調節できるようになる。
【００４６】
本実施形態の首バンド部８３０の両端部の固定ホール８６０は、直線形の固定ホール８６０が提供される。固定ホール８６０を提供する目的は、ナプキン、ビブ、タオルなどの手段を固定するためのものであり、ナプキンなどの一部が直線形の固定ホール８６０に挿入されて固定される過程は、他の実施形態と同じ原理であるため、これについての説明は省略することにする。参考までに、本実施形態の固定ホール８６０は直線で提供されているが、ナプキンホルダー８００の固定ホール８６０は、前記した実施形態において説明された固定ホールを参照することができるし、設計者の意図によって多様に選択することができる。したがって、本実施形態において、固定ホール８６０についての説明は、上述した実施形態の説明および図面を参照することができるため、重複する内容は省略することにする。
【００４７】
図１１を参照すれば、２つの首バンド部８３０を互いに対向させながら連結する。より具体的には、各首バンド部８３０が隣り合う他の首バンド部８３０の連結環部８５２を通過することで互いに結束し、首バンド部８３０の材質自体の摩擦力によって、ナプキンホルダー８００の長さを固定させるようになる。ユーザは、ナプキンホルダー８００の長さを変更するために、両首バンド部８３０を伸ばしたり縮めたりすることで、両連結環部８５２の間隔を調節するようになる。
【００４８】
すなわち、ナプキンホルダー８００は、長さを調節するための長さ調節部８５０を含むようになり、長さ調節部８５０は、交差ホール（図示せず）を含む連結環部８５２を含むようになる。本実施形態では、連結環部８５２が首バンド部８３０を通過させるための閉鎖された（ｃｌｏｓｅｄ）交差ホール（図示せず）を含んでいるが、連結環部８５２に形成されたホールは、部分的に開放されて（ｏｐｅｎ）Ｃ字形のように形成されても良い。
【産業上の利用可能性】
【００４９】
ナプキンホルダーは、首バンド部の両端部に形成された固定ホールを含んでおり、ユーザは、ナプキン、ビブ、タオルなどのような手段の一部を簡便に指で固定ホールに押し込むことによって、ナプキンなどの手段を簡単に固定させることができる。
【００５０】
また、ナプキンホルダーの材質は、弾力性あるシリコンなどの高分子物質やプラスチックを用いるため、生産単価を減らす上に、ユーザに半永久的な使用を提供することによって、経済的なナプキンホルダーを提供することができる。また、ナプキンホルダーの首バンド部に長さ調節部を提供することで、ユーザがより一層便利に長さを調節できるようにするナプキンホルダーを提供することができる。
【図面の簡単な説明】
【００５１】
【図１】本発明の第１実施形態に係るナプキンホルダーを説明するための斜視図である。
【図２】ナプキンホルダーに保護手段が固定されることを説明するための斜視図である。
【図３】ナプキンホルダーに保護手段が固定されることを説明するための斜視図である。
【図４】本発明の第２実施形態に係るナプキンホルダーを説明するための斜視図である。
【図５】本発明の第３実施形態に係るナプキンホルダーを説明するための斜視図である。
【図６】本発明の第４実施形態に係るナプキンホルダーを説明するための斜視図である。
【図７】本発明の第５実施形態に係るナプキンホルダーを説明するための斜視図である。
【図８】本発明の第６実施形態に係るナプキンホルダーを説明するための斜視図である。
【図９】図８における長さ調節部を説明するためのナプキンホルダーの部分拡大斜視図である。
【図１０】図８における首バンド部を説明するための斜視図である。
【図１１】本発明の第７実施形態に係るナプキンホルダーを説明するための斜視図である。
【図１】
2008535616.tif 000003
【図２】
2008535616.tif 000004
【図３】
2008535616.tif 000005
【図４】
2008535616.tif 000006
【図５】
2008535616.tif 000007
【図６】
2008535616.tif 000008
【図７】
2008535616.tif 000009
【図８】
2008535616.tif 000010
【図９】
2008535616.tif 000011
【図１０】
2008535616.tif 000012
【図１１】
2008535616.tif 000013
【国際調査報告】
2008535616.tif 000014
2008535616.tif 000015